【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】通信システム、通信装置、及び通信方法
【手続補正２】
【補正対象書類名】明細書
【補正対象項目名】特許請求の範囲
【補正方法】変更
【補正の内容】
【特許請求の範囲】
【請求項１】  データの送受信を同時に行う第１の装置と第２の装置とを有する通信システムにおいて、
前記第１の装置に設けられ、受信データの異常を判別する異常判別手段と、
前記第１の装置に設けられ、前記異常判別手段により判別された判別結果を、前記第２の装置に送信中の送信データに付加する付加手段と、
前記第１の装置に設けられ、前記異常判別手段によって受信データが連続して異常と判別され続けた時間又は回数を計測する計測手段と、
前記第１の装置に設けられ、前記計測手段による計測結果に応じて、前記第１の装置を初期化する初期化手段と、
を有することを特徴とする通信システム。
【請求項２】  前記第１の装置及び前記第２の装置のうち一方は、マスタ装置として機能し、他方はスレーブ装置として機能することを特徴とする請求項１に記載の通信システム。
【請求項３】  前記第２の装置に設けられ、前記第１の装置から送信された送信データに付加されている前記判別結果に基づいて、データの再送を行うか否かを判断する判断手段を更に有することを特徴とする請求項１又は請求項２に記載の通信システム。
【請求項４】  前記第２の装置のデータ送信の開始タイミングと、前記第１の装置のデータ送信の開始タイミングとは一致したタイミングであり、且つ、前記第２の装置が送信するデータの長さは、前記第１の装置が送信するデータの長さよりも短いことを特徴とする請求項１乃至請求項３の何れかに記載の通信システム。
【請求項５】  前記初期化手段は、前記計測手段により定常的な１回のデータ通信時間の複数回分の時間継続して受信データの異常が計測された場合、又は複数回の受信データに継続して異常が計測された場合に、前記第１の装置を初期化することを特徴とする請求項１乃至４の何れかに記載の通信システム。
【請求項６】  前記計測手段は、ウォッチドックタイマを含むことを特徴とする請求項１乃至５の何れかに記載の通信システム。
【請求項７】  通信相手と互いに同時にデータを送受信する通信装置において、
前記通信相手からの受信データの異常を判別する判別手段と、
前記判別手段による判別結果を、前記通信相手に送信中の送信データに付加する付加手段と、
前記判別手段により受信データが連続して異常と判別され続けた時間又は回数を計測する計測手段と、
前記計測手段による計測結果に応じて、前記通信装置を初期化する初期化手段と、
を有することを特徴とする通信装置。
【請求項８】  前記通信相手及び前記通信装置のデータ送信の開始タイミングは一致したタイミングであり、且つ、前記通信相手が送信するデータの長さは、前記通信装置が送信するデータの長さよりも短いことを特徴とする請求項７に記載の通信装置。
【請求項９】  前記初期化手段は、前記計測手段により定常的な１回のデータ通信時間の複数回分の時間継続して受信データの異常が計測された場合、又は複数回の受信データに継続して異常が計測された場合に、前記第１の装置を初期化することを特徴とする請求項７又は請求項８に記載の通信装置。
【請求項１０】  データの送受信を同時に行う第１の装置と第２の装置とを有する通信システムの通信方法において、
前記第１の装置が、受信データの異常を判別する異常判別ステップと、
前記第１の装置が、前記異常判別ステップにおいて判別された判別結果を、前記第２の装置に送信中の送信データに付加する付加ステップと、
前記第１の装置が、前記異常判別ステップにおいて受信データが連続して異常と判別され続けた時間又は回数を計測する計測ステップと、
前記第１の装置が、前記計測ステップにおける計測結果に応じて、前記第１の装置を初期化する初期化ステップと、
を有することを特徴とする通信システムの通信方法。
【手続補正３】
【補正対象書類名】明細書
【補正対象項目名】０００１
【補正方法】変更
【補正の内容】
【０００１】
【発明の属する技術分野】
本発明は、通信システム、通信装置、及び通信方法に関する。
【手続補正４】
【補正対象書類名】明細書
【補正対象項目名】０００９
【補正方法】変更
【補正の内容】
【０００９】
【課題を解決するための手段】
本発明は、データの送受信を同時に行う第１の装置と第２の装置とを有する通信システムにおいて、前記第１の装置に設けられ、受信データの異常を判別する異常判別手段と、前記第１の装置に設けられ、前記異常判別手段により判別された判別結果を、前記第２の装置に送信中の送信データに付加する付加手段と、前記第１の装置に設けられ、前記異常判別手段によって受信データが連続して異常と判別され続けた時間又は回数を計測する計測手段と、前記第１の装置に設けられ、前記計測手段による計測結果に応じて、前記第１の装置を初期化する初期化手段と、を有することを特徴とする通信システムを提供する。
また本発明は、通信相手と互いに同時にデータを送受信する通信装置において、前記通信相手からの受信データの異常を判別する判別手段と、前記判別手段による判別結果を、前記通信相手に送信中の送信データに付加する付加手段と、前記判別手段により受信データが連続して異常と判別され続けた時間又は回数を計測する計測手段と、前記計測手段による計測結果に応じて、前記通信装置を初期化する初期化手段と、を有することを特徴とする通信装置を提供する。
また本発明は、データの送受信を同時に行う第１の装置と第２の装置とを有する通信システムの通信方法において、前記第１の装置が、受信データの異常を判別する異常判別ステップと、前記第１の装置が、前記異常判別ステップにおいて判別された判別結果を、前記第２の装置に送信中の送信データに付加する付加ステップと、前記第１の装置が、前記異常判別ステップにおいて受信データが連続して異常と判別され続けた時間又は回数を計測する計測ステップと、前記第１の装置が、前記計測ステップにおける計測結果に応じて、前記第１の装置を初期化する初期化ステップと、を有することを特徴とする通信システムの通信方法を提供する。
【手続補正５】
【補正対象書類名】明細書
【補正対象項目名】０１６２
【補正方法】削除
【補正の内容】
【手続補正６】
【補正対象書類名】明細書
【補正対象項目名】０１６３
【補正方法】削除
【補正の内容】
【手続補正７】
【補正対象書類名】明細書
【補正対象項目名】０１６４
【補正方法】削除
【補正の内容】
【手続補正８】
【補正対象書類名】明細書
【補正対象項目名】０１６５
【補正方法】削除
【補正の内容】
【手続補正９】
【補正対象書類名】明細書
【補正対象項目名】０１６６
【補正方法】削除
【補正の内容】
【手続補正１０】
【補正対象書類名】明細書
【補正対象項目名】０１６７
【補正方法】削除
【補正の内容】
【手続補正１１】
【補正対象書類名】明細書
【補正対象項目名】０１６８
【補正方法】削除
【補正の内容】
【手続補正１２】
【補正対象書類名】明細書
【補正対象項目名】０１６９
【補正方法】削除
【補正の内容】
【手続補正１３】
【補正対象書類名】明細書
【補正対象項目名】０１７０
【補正方法】削除
【補正の内容】
【手続補正１４】
【補正対象書類名】明細書
【補正対象項目名】０１７１
【補正方法】削除
【補正の内容】
【手続補正１５】
【補正対象書類名】明細書
【補正対象項目名】０１７２
【補正方法】削除
【補正の内容】
【手続補正１６】
【補正対象書類名】明細書
【補正対象項目名】０１７３
【補正方法】削除
【補正の内容】
【手続補正１７】
【補正対象書類名】明細書
【補正対象項目名】０１７４
【補正方法】削除
【補正の内容】
【手続補正１８】
【補正対象書類名】明細書
【補正対象項目名】０１７５
【補正方法】削除
【補正の内容】
【手続補正１９】
【補正対象書類名】明細書
【補正対象項目名】０１７６
【補正方法】削除
【補正の内容】
【手続補正２０】
【補正対象書類名】明細書
【補正対象項目名】０１７７
【補正方法】削除
【補正の内容】
【手続補正２１】
【補正対象書類名】明細書
【補正対象項目名】０１７８
【補正方法】削除
【補正の内容】
【手続補正２２】
【補正対象書類名】明細書
【補正対象項目名】０１７９
【補正方法】削除
【補正の内容】
【手続補正２３】
【補正対象書類名】明細書
【補正対象項目名】０１８０
【補正方法】変更
【補正の内容】
【０１８０】
以上のように上記説明によれば、マスタ側装置とスレーブ側装置とから成り、前記マスタ側装置が前記スレーブ側装置の通信を制御する通信システムにおいて、前記マスタ側装置が、前記スレーブ側装置に定期的にデータを送信する。前記スレーブ側装置は、前記マスタ側装置から送信されたデータを受信して、該受信データの異常を判別し、連続して異常と判別され続ける継続時間を計測する。そして、この計測された継続時間が所定時間を超えた場合に、前記スレーブ側装置の初期化を行う。
【手続補正２４】
【補正対象書類名】明細書
【補正対象項目名】０１８３
【補正方法】変更
【補正の内容】
【０１８３】
【発明の効果】
本発明によれば、一方の装置に異常が生じた場合に、その装置を自動的に復旧させることができる。
【手続補正２５】
【補正対象書類名】明細書
【補正対象項目名】符号の説明
【補正方法】変更
【補正の内容】
【符号の説明】
１  自動原稿搬送装置部（第２の装置）
２  画像読取装置部（第１の装置）
１００  制御回路（自動原稿搬送装置部１）
１０１  ＲＡＭ
１０２  ＲＯＭ
１０３  ＣＰＵ（異常判別手段、付加手段、計測手段、初期化手段）
１０４  モータＭ１のドライブ回路
１０５  モータＭ３のドライブ回路
１０６  モータＭ４のドライブ回路
１０９  ソレノイドＳＬ１のドライブ回路
１１０  クラッチＣＬ１のドライブ回路
１１１  ウォッチドッグタイマ（ＷＤＴ）
１２０  制御回路（画像読取装置部２）
１２１  ＣＰＵ
１２２  ＲＯＭ
１２３  ＲＡＭ
１２４  Ａ／Ｄ変換回路
１２６  エンコーダ
１２８  ランプのドライブ回路
１２９  ポジションセンサ
１３０  バックアップＲＡＭ
１３１  モータＭ２のドライブ回路
１４１  通信ライン（送信信号Ｔｘ）
１４２  通信ライン（受信信号Ｒｘ）
１４３  信号線（通信開始タイミング基準信号ＤＦ_ＬＯＡＤ）
１４４  信号線（基準クロックＳＣＬＫ）
Ｍ１  給紙モータ
Ｍ２  離間モータ
Ｍ３  リードモータ
Ｍ４  排紙モータ
Ｍ５  ステッピングモータ
Ｓ１  レジストセンサ
Ｓ２  リードセンサ
Ｓ３  排紙センサ
ＳＬ１  排紙離間ソレノイド
ＣＬ１  給紙クラッチ